(57)【要約】【課題】施工効率が良く、かつ太陽電池モジュールの取り付け位置を定めやすい太陽電池モジュールの設置架台および固定方法の提供。【解決手段】太陽電池モジュールＭの上側枠のフランジを係止め部１０により縦桟２に係止めし、係止め部１０によって縦桟２に係止めされた太陽電池モジュールＭの下側枠のフランジを係止め具２０によって縦桟２に係止めすることにより、太陽電池モジュールＭを縦桟２によって傾斜角度を持たせて支える。【選択図】図１
2015105528.tif 000002
【特許請求の範囲】
【請求項１】
長方形の太陽電池モジュール本体と、前記太陽電池モジュール本体の上下側縁にそれぞれ設けられた上側枠および下側枠とを有し、前記上側枠および前記下側枠はそれぞれ下端に互いに向き合う方向に突設されたフランジを有する太陽電池モジュールを、支持フレームによって傾斜角度を持たせて支える太陽電池モジュールの設置架台であって、
前記太陽電池モジュールの上側枠のフランジを前記支持フレームに係止めする係止め部と、
前記係止め部によって前記支持フレームに係止めされた前記太陽電池モジュールの下側枠のフランジを前記支持フレームに係止めする係止め具と
を含む太陽電池モジュールの設置架台。
【請求項２】
前記係止め部は、前記太陽電池モジュールの上側枠のフランジに直交して当該フランジの先端と当接する当接部と、当該フランジの上面を上から押さえる押さえ部とを有するものである請求項１記載の太陽電池モジュールの設置架台。
【請求項３】
前記係止め具は、前記太陽電池モジュールの下側枠のフランジの上面を上から押さえる押さえ部と、当該係止め具の回転を防止する回り止め部と、前記支持フレームの下側からボルトまたはナットにより締結可能にする締結部とを有するものである請求項１または２に記載の太陽電池モジュールの設置架台。
【請求項４】
長方形の太陽電池モジュール本体と、前記太陽電池モジュール本体の上下側縁にそれぞれ設けられた上側枠および下側枠とを有し、前記上側枠および前記下側枠はそれぞれ下端に互いに向き合う方向に突設されたフランジを有する太陽電池モジュールを支持フレームによって傾斜角度を持たせて支える太陽電池モジュールの設置架台において、前記太陽電池モジュールを前記支持フレームに固定する太陽電池モジュールの固定方法であって、
前記太陽電池モジュールの上側枠のフランジを係止め部により前記支持フレームに係止めすること、
前記係止め部によって前記支持フレームに係止めされた前記太陽電池モジュールの下側枠のフランジを係止め具によって前記支持フレームに係止めすること
を含む太陽電池モジュールの固定方法。
【発明の詳細な説明】
【技術分野】
【０００１】
本発明は、太陽電池モジュールに傾斜角度を持たせて設置するための太陽電池モジュールの設置架台および固定方法に関する。
【背景技術】
【０００２】
太陽電池モジュールの設置架台への固定方法として、例えば特許文献１には、太陽電池パネルの枠体を２本の主材に取り付けるに際し、１つの太陽電池パネルに対して、４つの取り付け箇所を角とする矩形のうち対角をなす２箇所には押さえ板を設けてルーズフィットな取り付けとし、それ以外の２箇所は固定用ボルトナットによってリジットに固定する方法が記載されている。なお、ルーズフィットな取り付けとは、取り付け箇所を構成する各部同士が、屋外の温度変化に起因する熱応力を緩和可能な程度の自由度で相対移動し得る取り付け状態をいい、リジットな固定とは、取り付け箇所を構成する各部同士が、屋外の温度変化に起因する熱応力では相対移動しない程度の強固な固定状態をいっている。
【０００３】
また、例えば特許文献２には、太陽電池モジュールのフレームおよび架台の支持体のいずれか一方に備えられる鉤状部と、他方に備えられる鉤状部が挿入可能な切欠部とからなる固定手段を有し、鉤状部を切欠部に挿入してスライドすることによって太陽電池モジュールが架台に固定されることが記載されている。
【０００４】
また、例えば特許文献３には、溝形鋼からなる架台上に太陽電池モジュールを設置するための設置金具であって、架台にその長手方向に沿ってスライド可能に外嵌して、太陽電池モジュールの外周枠に係合する係合体と、この係合体を架台に固定するための固定体とを備え、係合体は、そのスライド方向に延びる長穴を有し、固定体は、係合体の長穴に根角部を係合して回転不能とした状態で、係合体の長穴および架台のボルト挿通用穴に挿通する根角ボルトと、この根角ボルトに螺合するナットとからなる太陽電池モジュールの設置金具が記載されている。
【先行技術文献】
【特許文献】
【０００５】
【特許文献１】特開２０１１−２２２８６５号公報
【特許文献２】特開２０１０−２７９７９号公報
【特許文献３】特開２０１１−４３０１８号公報
【発明の概要】
【発明が解決しようとする課題】
【０００６】
通常、太陽電池モジュールは、受光面に対してできる限り直角に太陽光が当たるようにするため、斜めに設置された支持フレーム上に設置される。そのため、太陽電池モジュールの取り付け作業時には、支持フレーム上の適切な位置へ太陽電池モジュールの位置合わせを行いながら固定作業を行う必要がある。
【０００７】
特許文献１の太陽電池モジュールの固定方法では、１本の主材に対して太陽電池モジュールの枠体の少なくとも１ヶ所をボルトナットによって直接固定する必要があるため、太陽電池モジュールの枠体の固定用穴と主材の固定用穴との位置を合わせる高精度な作業が必要であり、施工効率が悪い。
【０００８】
また、特許文献２の太陽電池モジュールの固定方法では、太陽電池モジュールのフレームと架台の支持体の両方に鉤状部または切欠部の加工が必要であり、コストアップになっている。さらに、太陽電池モジュールのフレームと架台の支持体とは、それぞれの鉤状部または切欠きの位置が合うような加工精度および施工精度が必要であり、施工の難易度が高い。
【０００９】
これらに対して特許文献３の太陽電池モジュールの固定方法では、施工方法は容易であるが、太陽電池モジュールを固定する金具自体が取付架台のフレームに対してスライド可能であるため、太陽電池モジュールのフレームに対する位置が定めにくいものとなっている。
【００１０】
そこで、本発明においては、施工効率が良く、かつ太陽電池モジュールの取り付け位置を定めやすい太陽電池モジュールの設置架台および固定方法を提供することを目的とする。
【課題を解決するための手段】
【００１１】
本発明の太陽電池モジュールの設置架台は、長方形の太陽電池モジュール本体と、太陽電池モジュール本体の上下側縁にそれぞれ設けられた上側枠および下側枠とを有し、上側枠および下側枠はそれぞれ下端に互いに向き合う方向に突設されたフランジを有する太陽電池モジュールを、支持フレームによって傾斜角度を持たせて支える太陽電池モジュールの設置架台であって、太陽電池モジュールの上側枠のフランジを支持フレームに係止めする係止め部と、係止め部によって支持フレームに係止めされた太陽電池モジュールの下側枠のフランジを支持フレームに係止めする係止め具とを含むものである。
【００１２】
また、本発明の太陽電池モジュールの固定方法は、長方形の太陽電池モジュール本体と、太陽電池モジュール本体の上下側縁にそれぞれ設けられた上側枠および下側枠とを有し、上側枠および下側枠はそれぞれ下端に互いに向き合う方向に突設されたフランジを有する太陽電池モジュールを支持フレームによって傾斜角度を持たせて支える太陽電池モジュールの設置架台において、太陽電池モジュールを支持フレームに固定する太陽電池モジュールの固定方法であって、太陽電池モジュールの上側枠のフランジを係止め部により支持フレームに係止めすること、係止め部によって支持フレームに係止めされた太陽電池モジュールの下側枠のフランジを係止め具によって支持フレームに係止めすることを含むことを特徴とする。
【００１３】
これらの発明によれば、太陽電池モジュールを支持フレームに取り付ける際、まず、太陽電池モジュールは、その上側枠のフランジが係止め部により支持フレームに係止めされることで取り付け位置が定められる。その後、この係止め部によって支持フレームに係止めされた太陽電池モジュールは、その下側枠のフランジを係止め具によって支持フレームに係止めすることで、容易に取り付け作業を行うことが可能となる。
【００１４】
ここで、係止め部は、太陽電池モジュールの上側枠のフランジに直交して当該フランジの先端と当接する当接部と、当該フランジの上面を上から押さえる押さえ部とを有するものであることが望ましい。これにより、太陽電池モジュールは、その上側枠のフランジの先端を重力に任せて当接部に当接させることで取り付け位置が定められるとともに、この上側枠のフランジの上面が押さえ部により押さえられることで、その取り付け位置に固定される。
【００１５】
また、係止め具は、太陽電池モジュールの下側枠のフランジの上面を上から押さえる押さえ部と、当該係止め具の回転を防止する回り止め部と、支持フレームの下側からボルトまたはナットにより締結可能にする締結部とを有するものであることが望ましい。これにより、上述のように係止め部によって支持フレームに係止めされた太陽電池モジュールは、その下側枠のフランジの上から押さえ部により押さえた状態で、締結部により支持フレームの下側からボルトまたはナットにより締結されることで、支持フレームに係止めされるとともに、回り止め部によって係止め具の回転が防止されるため、太陽電池モジュールの下側枠のフランジはその取り付け位置に固定される。
【発明の効果】
【００１６】
（１）太陽電池モジュールの上側枠のフランジを係止め部により支持フレームに係止めし、係止め部によって支持フレームに係止めされた太陽電池モジュールの下側枠のフランジを係止め具によって支持フレームに係止めする構成により、施工効率が良く、かつ太陽電池モジュールの取り付け位置を定めやすくなる。
【００１７】
（２）係止め部が、太陽電池モジュールの上側枠のフランジに直交して当該フランジの先端と当接する当接部と、当該フランジの上面を上から押さえる押さえ部とを有するものであることにより、太陽電池モジュールが、その上側枠のフランジの先端を重力に任せて当接部に当接させるだけで取り付け位置が定められ、押さえ部によりその取り付け位置に固定されるため、より施工効率が良く、かつ太陽電池モジュールの取り付け位置が定めやすくなる。
【００１８】
（３）係止め具が、太陽電池モジュールの下側枠のフランジの上面を上から押さえる押さえ部と、当該係止め具の回転を防止する回り止め部と、支持フレームの下側からボルトまたはナットにより締結可能にする締結部とを有するものであることにより、太陽電池モジュールが、その下側枠のフランジの上から押さえ部により押さえた状態で、締結部により支持フレームの下側からボルトまたはナットにより締結するだけで固定され、回り止め部により係止め具の回転が防止されるため、さらに施工効率が良く、かつ太陽電池モジュールの取り付け位置が定めやすくなる。
【図面の簡単な説明】
【００１９】
【図１】本発明の実施の形態における太陽電池モジュールの設置架台の側面図である。
【図２】図１のＡ部の拡大図であって、（ａ）は平面図、（ｂ）は側面図、（ｃ）は（ｂ）のＣ−Ｃ断面図である。
【図３】図１のＢ部の拡大図であって、（ａ）は平面図、（ｂ）は側面図、（ｃ）は（ｂ）のＤ−Ｄ断面図である。
【図４】係止め具の拡大図であって、（ａ）は平面図、（ｂ）は側面図、（ｃ）は正面図である。
【図５】太陽電池モジュールの設置架台への取り付け手順の説明図である。
【図６】本発明に係る係止め具の別の実施形態を示す拡大図であって、（ａ）は平面図、（ｂ）は側面図、（ｃ）は（ｂ）のＥ−Ｅ断面図である。
【図７】本発明に係る係止め具のさらに別の実施形態を示す拡大図であって、（ａ）は平面図、（ｂ）は側面図、（ｃ）は（ｂ）のＦ−Ｆ断面図である。
【図８】図７の係止め具のみを示す拡大図であって、（ａ）は平面図、（ｂ）は側面図、（ｃ）は正面図である。
【発明を実施するための形態】
【００２０】
図１は本発明の実施の形態における太陽電池モジュールの設置架台の側面図、図２は図１のＡ部の拡大図であって、（ａ）は平面図、（ｂ）は側面図、（ｃ）は（ｂ）のＣ−Ｃ断面図、図３は図１のＢ部の拡大図であって、（ａ）は平面図、（ｂ）は側面図、（ｃ）は（ｂ）のＤ−Ｄ断面図、図４は係止め具の拡大図であって、（ａ）は平面図、（ｂ）は側面図、（ｃ）は正面図である。
【００２１】
図１に示すように、本発明の実施の形態における設置架台１は、太陽電池モジュールＭに傾斜角度を持たせて設置するものである。設置架台１は、上部に複数の太陽電池モジュールＭが取り付けられて１または複数の太陽電池モジュールＭを下から斜めに支える支持フレームとして２本以上の縦桟２を有する。縦桟２は、支柱３や基礎接続具４，５等によって、基礎６上に支えられている。
【００２２】
太陽電池モジュールＭは、長方形の太陽電池モジュール本体Ｍａと、太陽電池モジュール本体Ｍａの上下側縁にそれぞれ設けられた上側枠Ｍｂおよび下側枠Ｍｃ（図２および図３参照。）と、太陽電池モジュールＭａの左右側縁にそれぞれ設けられた左側枠（図示せず。）および右側枠（図示せず。）とを有する。上側枠Ｍｂおよび下側枠Ｍｃは、それぞれ下端に互いに向き合う方向に突設されたフランジＭｄ，Ｍｅ（図２および図３参照。）を有する。
【００２３】
縦桟２は、板厚１．０〜２．５ｍｍの鋼板から形成された形鋼（軽量形鋼）であり、図２に示すように、上下方向に配置されるウェブ２ａと、ウェブ２ａの上下両端からそれぞれウェブ２ａに直交して同じ方向に延びる上フランジ２ｂおよび下フランジ２ｃと、上フランジ２ｂおよび下フランジ２ｃの先端からそれぞれ上フランジ２ｂおよび下フランジ２ｃと直交して互いに向き合う方向に延びる上リップ２ｄおよび下リップ２ｅとを有する断面Ｃ字状のリップ溝形鋼である。
【００２４】
また、図２に示すように、縦桟２の上フランジ２ｂには、その上面に配置される複数の太陽電池モジュールＭそれぞれの上側枠ＭｂのフランジＭｄに対応する位置に、それぞれのフランジＭｄを係止めする係止め部１０が形成されている。係止め部１０は、太陽電池モジュールＭの上側枠ＭｂのフランジＭｄに直交して当該フランジＭｄの先端と当接する当接部１１と、当該フランジＭｄの上面を上から押さえる押さえ部１２とを有する。
【００２５】
当接部１１および押さえ部１２は、縦桟２の上フランジ２ｂの一部に切り込みを入れて垂直に起こした切り起こし辺１３により形成されている。太陽電池モジュールＭの上側枠ＭｂのフランジＭｄは、この切り起こし辺１３の押さえ部１２と上フランジ２ｂの上面との間に挟み入れられ、フランジＭｄの先端が切り起こし辺の当接部１１に当接することで位置決めされる。
【００２６】
一方、図３に示すように、縦桟２の上フランジ２ｂの上面に配置される複数の太陽電池モジュールＭそれぞれの下側枠ＭｃのフランジＭｅに対応する位置には、それぞれのフランジＭｅを縦桟２に係止めする係止め具２０が設けられる。係止め具２０は、図３および図４に示すように、縦桟２の上フランジ２ｂの上面に固定する固定部２１と、太陽電池モジュールＭの下側枠ＭｃのフランジＭｅの上面を上から押さえる押さえ部２２と、固定部２１と押さえ部２２とを繋ぐ段差部２３と、縦桟２の側面に当接して当該係止め具２０の回転を防止する回り止め部２４と、縦桟２の下側からボルトまたはナットにより締結可能にする締結部２５とを有する。
【００２７】
本実施形態においては、締結部２５は、縦桟２の下側からボルトＢにより締結可能にするため、押さえ部２２に形成された開孔２５ａと、押さえ部２２に溶接されたナット２５ｂとによって構成されている。なお、図示しないが、縦桟２の下側からナットにより締結可能にするため、ナット２５ｂに代えてボルトＢのねじ部を押さえ部２２の上面から開孔２５ａを貫通させて溶接した構成とすることも可能である。
【００２８】
押さえ部２２は、その下面が太陽電池モジュールＭの下側枠ＭｃのフランジＭｅを押さえる押さえ面となっている。段差部２３は、図３に示すように、太陽電池モジュールＭの下側枠ＭｃのフランジＭｅの先端が当接することで、太陽電池モジュールＭが上側にスライドして抜け落ちるのを抑制する抜け落ち抑制面を形成している。回り止め部２４は、固定部２１の両側辺から垂直方向に突出して、縦桟２のウェブ２ａおよびリップ２ｄに沿うようになっている。
【００２９】
次に、太陽電池モジュールＭの設置架台１への取り付け手順について説明する。図５は太陽電池モジュールＭの設置架台１への取り付け手順の説明図である。
【００３０】
（１）図５（ａ）〜（ｃ）に示すように、縦桟２の係止め部１０に、すなわち、切り起こし辺１３の押さえ部１２と上フランジ２ｂの上面との間に、最下段の太陽電池モジュールＭを斜め下方向にスライドさせながら、上側枠ＭｂのフランジＭｄを差し込んで係止めする。これにより、太陽電池モジュールＭは、上側枠ＭｂのフランジＭｄの先端が切り起こし辺の当接部１１に当接することで取り付け位置が定められる。
【００３１】
（２）このようにして所定枚数の太陽電池モジュールＭを下から順に、縦桟２の係止め部１０に対して上側枠ＭｂのフランジＭｄを差し込んで係止めする。この係止めの際には、太陽電池モジュールＭを斜め下方向にスライドさせるだけで良く、ボルトを孔に通して締め付けるなどの作業がないため、容易に取付け作業が行うことが可能である。
【００３２】
（３）太陽電池モジュールＭの係止めが終わった後、図５（ｄ）に示すように、当該太陽電池モジュールＭの裏面において係止め具２０を縦桟２の上面に載せ、縦桟２の下面側からボルトＢを差し込んでナット２５ｂに締め付け、固定する。この際、係止め具２０には回り止め部２４およびナット２５ｂが付いているので、ボルトＢの締め付け時に係止め具２０とナット２５ｂを手で保持する必要がなく、片手作業で容易に固定できる。このようにして、係止め具２０を所定個数固定すれば、太陽電池モジュールＭの取付け完了となる。
【００３３】
このように、本実施形態における設置架台１では、係止め部１０によって縦桟２に係止めされた太陽電池モジュールＭは、その下側枠ＭｃのフランジＭｅの上から押さえ部２２により押さえられた状態で、締結部２５により縦桟２の下側からボルトＢにより締結されることで、縦桟２に係止めされるとともに、回り止め部２４が縦桟２の側面に当接して係止め具２０の回転が防止されるため、太陽電池モジュールＭの下側枠ＭｃのフランジＭｅはその取り付け位置に固定される。
【００３４】
次に、本発明に係る係止め具の別の実施形態について説明する。図６は本発明に係る係止め具の別の実施形態を示す拡大図であって、（ａ）は平面図、（ｂ）は側面図、（ｃ）は（ｂ）のＥ−Ｅ断面図である。なお、図６において、図３に示した係止め具２０と共通の構成部分については同一符号を付し、その詳細な説明を省略する。
【００３５】
図６に示す係止め具３０では、固定部２１と押さえ部２２との間に、段差部２３に代えて断面半円筒状のばね部３１が形成されている。このばね部３１の復元力により、押さえ部２２が太陽電池モジュールＭの下側枠ＭｃのフランジＭｅを押さえる力を増すことができる。
【００３６】
次に、本発明に係る係止め具のさらに別の実施形態について説明する。図７は本発明に係る係止め具のさらに別の実施形態を示す拡大図であって、（ａ）は平面図、（ｂ）は側面図、（ｃ）は（ｂ）のＦ−Ｆ断面図、図８は図７の係止め具のみを示す拡大図であって、（ａ）は平面図、（ｂ）は側面図、（ｃ）は正面図である。
【００３７】
図７および図８に示す係止め具４０は、縦桟２の上フランジ２ｂの上面に固定する固定部４１と、太陽電池モジュールＭの下側枠ＭｃのフランジＭｅの上面を上から押さえる押さえ部４２と、固定部４１から縦桟２に向かって突出して設けられた位置決めフック４３と、縦桟２の下側からボルトまたはナットにより締結可能にする前述の締結部２５とを有する。
【００３８】
固定部４１と押さえ部４２とは、固定部４１の左右両側辺から垂直に立ち上げた側壁４４により接続されている。ここで、固定部４１と押さえ部４２とは、互いの底面が平行かつ段差を有するように側壁４４により接続されており、太陽電池モジュールＭの下側枠ＭｃのフランジＭｅを押さえ部４２により押さえたときに、フランジＭｅの先端が固定部４１の端面４１ａに当接するようになっている。また、側壁４４の高さを高くすることで、フランジＭｅを押さえ部４２によりさらに強固に押さえることができる。
【００３９】
位置決めフック４３は、縦桟２に形成された位置決めフック用の孔４３ａに差し込まれる。位置決めフック４３が位置決めフック用の孔４３ａに差し込まれることで、係止め具４０は、縦桟２から滑り落ちることがなくなるので、当該係止め具４０の取り付け作業が容易となる。また、この位置決めフック４３は、当該係止め具４０の回転を防止する回り止め部としても機能する。
【００４０】
また、この係止め具４０は、固定部４１の端面４１ａがフランジＭｅの先端と直角に当接するため、太陽電池モジュールＭの位置決め精度が良い。そのため、図２に示した係止め部１０に代えて、この係止め具４０を用いることも可能である。これにより、縦桟２の上フランジ２ｂに、突起物となる切り起こし辺１３がなくなり、縦桟２を梱包しやすく、運搬時の破損もなく有利になる。
【産業上の利用可能性】
【００４１】
本発明の太陽電池モジュールの設置架台および固定方法は、太陽電池モジュールに傾斜角度を持たせて設置するための設置架台および固定方法として有用である。
【符号の説明】
【００４２】
１  設置架台
２  縦桟
３  支柱
４，５  基礎接続具
６  基礎
１０  係止め部
１１  当接部
１２  押さえ部
１３  切り起こし辺
２０，３０，４０  係止め具
２１，４１  固定部
２２，４２  押さえ部
２３  段差部
２４  回り止め部
２５  締結部
３１  ばね部
４３  位置決めフック
４４  側壁
【図１】
2015105528.tif 000003
【図２】
2015105528.tif 000004
【図３】
2015105528.tif 000005
【図４】
2015105528.tif 000006
【図５】
2015105528.tif 000007
【図６】
2015105528.tif 000008
【図７】
2015105528.tif 000009
【図８】
2015105528.tif 000010
【手続補正書】
【提出日】平成27年1月14日(2015.1.14)
【手続補正１】
【補正対象書類名】特許請求の範囲
【補正対象項目名】全文
【補正方法】変更
【補正の内容】
【特許請求の範囲】
【請求項１】
長方形の太陽電池モジュール本体と、前記太陽電池モジュール本体の上下側縁にそれぞれ設けられた上側枠および下側枠とを有し、前記上側枠および前記下側枠はそれぞれ下端に互いに向き合う方向に突設されたフランジを有する太陽電池モジュールを、支持フレームによって傾斜角度を持たせて支える太陽電池モジュールの設置架台であって、
前記太陽電池モジュールの上側枠のフランジを前記支持フレームに係止めする係止め部であり、前記支持フレームの一部に切り込みを入れて前記太陽電池モジュールの上側枠のフランジの先端辺と直交する方向の線に沿って垂直に切り起こした切り起こし片により形成され、前記太陽電池モジュールの上側枠のフランジに直交して当該フランジの先端と当接する当接部と、当該フランジの上面を上から押さえる押さえ部とを有し、当該フランジが前記押さえ部と前記支持フレームの上面との間に挟み入れられ、当該フランジの先端が前記当接部に当接することで位置決めされる係止め部と、
前記係止め部によって前記支持フレームに係止めされた前記太陽電池モジュールの下側枠のフランジを前記支持フレームに係止めする係止め具と
を含む太陽電池モジュールの設置架台。
【請求項２】
前記係止め具は、前記太陽電池モジュールの下側枠のフランジの上面を上から押さえる押さえ部と、当該係止め具の回転を防止する回り止め部と、前記支持フレームの下側からボルトまたはナットにより締結可能にする締結部とを有するものである請求項１記載の太陽電池モジュールの設置架台。
【請求項３】
長方形の太陽電池モジュール本体と、前記太陽電池モジュール本体の上下側縁にそれぞれ設けられた上側枠および下側枠とを有し、前記上側枠および前記下側枠はそれぞれ下端に互いに向き合う方向に突設されたフランジを有する太陽電池モジュールを支持フレームによって傾斜角度を持たせて支える太陽電池モジュールの設置架台において、前記太陽電池モジュールを前記支持フレームに固定する太陽電池モジュールの固定方法であって、
前記支持フレームの一部に切り込みを入れて前記太陽電池モジュールの上側枠のフランジの先端辺と直交する方向の線に沿って垂直に切り起こした切り起こし片により形成され、前記太陽電池モジュールの上側枠のフランジに直交して当該フランジの先端と当接する当接部と、当該フランジの上面を上から押さえる押さえ部とを有し、当該フランジが前記押さえ部と前記支持フレームの上面との間に挟み入れられ、当該フランジの先端が前記当接部に当接することで位置決めされる係止め部により、前記太陽電池モジュールの上側枠のフランジを前記支持フレームに係止めすること、
前記係止め部によって前記支持フレームに係止めされた前記太陽電池モジュールの下側枠のフランジを係止め具によって前記支持フレームに係止めすること
を含む太陽電池モジュールの固定方法。
【手続補正２】
【補正対象書類名】明細書
【補正対象項目名】００２５
【補正方法】変更
【補正の内容】
【００２５】
当接部１１および押さえ部１２は、縦桟２の上フランジ２ｂの一部に切り込みを入れて垂直に起こした切り起こし片１３により形成されている。太陽電池モジュールＭの上側枠ＭｂのフランジＭｄは、この切り起こし片１３の押さえ部１２と上フランジ２ｂの上面との間に挟み入れられ、フランジＭｄの先端が切り起こし片１３の当接部１１に当接することで位置決めされる。
【手続補正３】
【補正対象書類名】明細書
【補正対象項目名】００３０
【補正方法】変更
【補正の内容】
【００３０】
（１）図５（ａ）〜（ｃ）に示すように、縦桟２の係止め部１０に、すなわち、切り起こし片１３の押さえ部１２と上フランジ２ｂの上面との間に、最下段の太陽電池モジュールＭを斜め下方向にスライドさせながら、上側枠ＭｂのフランジＭｄを差し込んで係止めする。これにより、太陽電池モジュールＭは、上側枠ＭｂのフランジＭｄの先端が切り起こし片１３の当接部１１に当接することで取り付け位置が定められる。
【手続補正４】
【補正対象書類名】明細書
【補正対象項目名】００４０
【補正方法】変更
【補正の内容】
【００４０】
また、この係止め具４０は、固定部４１の端面４１ａがフランジＭｅの先端と直角に当接するため、太陽電池モジュールＭの位置決め精度が良い。そのため、図２に示した係止め部１０に代えて、この係止め具４０を用いることも可能である。これにより、縦桟２の上フランジ２ｂに、突起物となる切り起こし片１３がなくなり、縦桟２を梱包しやすく、運搬時の破損もなく有利になる。
【手続補正５】
【補正対象書類名】明細書
【補正対象項目名】００４２
【補正方法】変更
【補正の内容】
【００４２】
１  設置架台
２  縦桟
３  支柱
４，５  基礎接続具
６  基礎
１０  係止め部
１１  当接部
１２  押さえ部
１３  切り起こし片
２０，３０，４０  係止め具
２１，４１  固定部
２２，４２  押さえ部
２３  段差部
２４  回り止め部
２５  締結部
３１  ばね部
４３  位置決めフック
４４  側壁